(57)【要約】  本発明の実施例に係るグロメット（１０）は、ワイヤハーネス（２０）に液密に結合されるワイヤハーネス結合部（１１）と、パネル開口（３１）に液密に結合可能なパネル結合部（１３）と、ワイヤハーネス結合部（１１）とパネル結合部（１３）との間に形状可変に延在する延在部（１２）と、パネル結合部（１３）をパネル開口（３１）に液密に結合する場合におけるワイヤハーネス結合部（１１）とパネル結合部（１３）との間のそのワイヤハーネス（２０）の長さ方向における距離に比べてその距離がより短い状態の延在部（１２）の形状を保持する延在部形状保持部（１２ａ）と、を備える。
2012095986.tif 000002
【特許請求の範囲】
【請求項１】
ワイヤハーネスに液密に結合されるワイヤハーネス結合部と、
パネル開口に液密に結合可能なパネル結合部と、
前記ワイヤハーネス結合部と前記パネル結合部との間に形状可変に延在する延在部と、
前記パネル結合部を前記パネル開口に液密に結合する場合における前記ワイヤハーネス結合部と前記パネル結合部との間の前記ワイヤハーネスの長さ方向における距離に比べて該距離がより短い状態の前記延在部の形状を保持する延在部形状保持部と、
を備えることを特徴とするグロメット。
【請求項２】
前記延在部形状保持部は、前記延在部が捲れ上がった状態の前記延在部の形状を保持する形状保持構造を有する、
ことを特徴とする請求項１に記載のグロメット。
【請求項３】
前記形状保持構造は、前記延在部が前記ワイヤハーネス結合部の方向に捲れ上がった状態と前記延在部が前記パネル結合部の方向に延びた状態とを切り替え可能にする、
ことを特徴とする請求項２に記載のグロメット。
【請求項４】
前記延在部は、蛇腹構造を有し、
前記延在部形状保持部は、前記延在部の蛇腹構造を折り畳んだ状態の前記延在部の形状を保持する、
ことを特徴とする請求項１に記載のグロメット。
【請求項５】
ワイヤハーネスに液密に結合されるワイヤハーネス結合部と、パネル開口に液密に結合可能なパネル結合部と、該ワイヤハーネス結合部と該パネル結合部との間に形状可変に延在する延在部と、該延在部の形状を保持する延在部形状保持部と、を備えたグロメットの該パネル開口への取り付け方法であって、
前記延在部形状保持部により、前記パネル結合部を前記パネル開口に液密に結合する場合における前記ワイヤハーネス結合部と前記パネル結合部との間の前記ワイヤハーネスの長さ方向における距離に比べて該距離がより短い状態の前記延在部の形状を保持したまま、前記ワイヤハーネスの先端にあるコネクタと前記パネル開口内に配置された対応するコネクタとを接続するステップと、
前記延在部の形状を変えて前記距離をより長くし、前記パネル結合部を前記パネル開口に取り付けるステップと、
を備えることを特徴とするグロメット取り付け方法。
【発明の詳細な説明】
【技術分野】
【０００１】
本発明は、ワイヤハーネスに装着されるグロメット及びそのグロメットのパネル開口への取り付け方法に関し、特に、ワイヤハーネスの先端にあるコネクタをパネル開口内に配置されたジャンクションボックスにおける対応するコネクタに取り付ける際の作業スペースを確保できるグロメット及びそのグロメットのパネル開口への取り付け方法に関する。
【背景技術】
【０００２】
従来、パネル開口でのコネクタの接続作業性の向上を図るためにワイヤハーネスに装着された防水グロメットが知られている（例えば、特許文献１参照。）。【０００３】
この防水グロメットは、二つのボルトでパネルに固定されるように構成されており、コネクタを接続する際には、一のボルト軸を回転軸としながら正規固定位置に対して９０度回転させられ、防水グロメット本体がパネル開口からずらされることによって、コネクタの接続作業のためのスペースを確保できるようにする。【０００４】
また、この防水グロメットは、その側壁が伸縮自在の蛇腹部で構成されており、その蛇腹部が圧縮されたときにその内部にあるコネクタを完全に露出させることができ、そのコネクタとの干渉を回避しながらその一のボルト軸を回転軸とした回転が可能となるようにする。
【先行技術文献】
【特許文献】
【０００５】
【特許文献１】特開２００１−３０９５２８号公報
【発明の概要】
【発明が解決しようとする課題】
【０００６】
しかしながら、特許文献１の防水グロメットをパネル開口に取り付ける場合、作業者は、コネクタの接続作業のためのスペースを確保すべく、一のボルト軸を回転軸としてその防水グロメットを回転させるために、或いは、そのコネクタの接続が完了した後にその回転させた防水グロメットを正規固定位置に戻すために、その防水グロメットの側壁とそのコネクタとの干渉を避けるべく、その防水グロメットの蛇腹部を圧縮する必要があり、接続作業性の向上が十分に図れているとはいえない。【０００７】
また、その防水グロメットを９０度回転させることによって作業スペースの確保を図ったとしても、その防水グロメットのフランジ部とそのコネクタとの干渉を完全に回避することはできず、この点においても接続作業性の向上が十分に図れているとはいえない。【０００８】
上述の点に鑑み、本発明は、コネクタの接続作業性を更に向上させるグロメット、及び、そのグロメットのパネル開口への取り付け方法を提供することを目的とする。
【課題を解決するための手段】
【０００９】
上述の目的を達成するために、本発明の実施例に係るグロメットは、ワイヤハーネスに液密に結合されるワイヤハーネス結合部と、パネル開口に液密に結合可能なパネル結合部と、前記ワイヤハーネス結合部と前記パネル結合部との間に形状可変に延在する延在部と、前記パネル結合部を前記パネル開口に液密に結合する場合における前記ワイヤハーネス結合部と前記パネル結合部との間の前記ワイヤハーネスの長さ方向における距離に比べて該距離がより短い状態の前記延在部の形状を保持する延在部形状保持部と、を備えることを特徴とする。【００１０】
また、本発明の実施例に係るグロメット取り付け方法は、ワイヤハーネスに液密に結合されるワイヤハーネス結合部と、パネル開口に液密に結合可能なパネル結合部と、該ワイヤハーネス結合部と該パネル結合部との間に形状可変に延在する延在部と、該延在部の形状を保持する延在部形状保持部と、を備えたグロメットの該パネル開口への取り付け方法であって、前記延在部形状保持部により、前記パネル結合部を前記パネル開口に液密に結合する場合における前記ワイヤハーネス結合部と前記パネル結合部との間の前記ワイヤハーネスの長さ方向における距離に比べて該距離がより短い状態の前記延在部の形状を保持したまま、前記ワイヤハーネスの先端にあるコネクタと前記パネル開口内に配置された対応するコネクタとを接続するステップと、前記延在部の形状を変えて前記距離をより長くし、前記パネル結合部を前記パネル開口に取り付けるステップと、を備えることを特徴とする。
【発明の効果】
【００１１】
上述の手段により、本発明は、コネクタの接続作業性を更に向上させるグロメット、及び、そのグロメットのパネル開口への取り付け方法を提供することができる。
【図面の簡単な説明】
【００１２】
【図１】本発明の実施例に係るグロメット（パネル結合前）の構成例を示す部分断面図である。
【図２】図１のＩＩ−ＩＩ線で定められる平面を矢印ＡＲ１の方向から見た図である。
【図３】図１のグロメットのパネル結合後の状態を示す部分断面図である。
【図４】図３のＩＶ−ＩＶ線で定められる平面を矢印ＡＲ２の方向から見た図である。
【図５】本発明の別の実施例に係るグロメット（パネル結合前）の構成例を示す部分断面図である。
【図６】図５のＶＩ−ＶＩ線で定められる平面を矢印ＡＲ３の方向から見た図である。
【図７】図５のグロメットのパネル結合後の状態を示す部分断面図である。
【図８】図７のＶＩＩＩ−ＶＩＩＩ線で定められる平面を矢印ＡＲ４の方向から見た図である。
【発明を実施するための形態】
【００１３】
以下、図面を参照しつつ、本発明を実施するための形態の説明を行う。
【実施例１】
【００１４】
図１は、本発明の実施例に係るグロメット１０の構成例を示す部分断面図（グロメット１０の全体とワイヤハーネス２０の一部とが断面（斜線部分）で表されている。）であり、ワイヤハーネス２０に装着されたグロメット１０をダッシュパネル３０に結合する前の状態を示す。なお、グロメット１０が装着されたワイヤハーネス２０の先端にあるコネクタ２１（２１ａ、２１ｂ、２１ｃ）は、車両前部にあるエンジンルームＥＲ側からダッシュパネル３０のパネル開口３１を通って、車室ＶＩ（エアコンユニット等が設置される空間）内に設置されたインストルメントパネルのジャンクションボックス４０における対応するコネクタに接続されているものとする。また、図２は、図１のＩＩ−ＩＩ線で定められる平面を矢印ＡＲ１の方向から見た図である。【００１５】
グロメット１０は、ＥＰＤＭ（Ethylene Propylene Diene Monomer）ゴム等の合成ゴムで形成される部材であり、主に、ワイヤハーネス結合部１１、中間延在部１２、及びパネル結合部１３で構成される。【００１６】
ワイヤハーネス結合部１１は、ワイヤハーネス２０の外周に液密に結合される部分であり、例えば、円筒形状を有し、ワイヤハーネス２０の外表面とワイヤハーネス結合部１１の内表面との間に変性シリコーン樹脂系接着剤等の接着剤を塗布することによって、ワイヤハーネス２０に液密に結合される。【００１７】
なお、ワイヤハーネス結合部１１は、ワイヤハーネス２０に結合された状態でそのワイヤハーネス２０に沿った形状（典型的には円筒形状である。）のまま硬化されてもよい。【００１８】
中間延在部１２は、ワイヤハーネス結合部１１とパネル結合部１３との間に延在する形状可変の柔軟な部分であり、例えば、ワイヤハーネス２０の延在方向（コネクタ２１がある先端を向く方向）とは逆の方向に反り返った状態（捲れ上がった状態）でその形状を保持するための延在部形状保持部１２ａを有する。【００１９】
延在部形状保持部１２ａは、グロメット１０の他の部分（ワイヤハーネス結合部１１及びパネル結合部１３）と同じ材料（例えば、ＥＰＤＭゴムである。）で形成されるものの、図１で示されるような中間延在部１２の捲れ上がった状態を保持できるよう、例えば、他の部分より肉厚に形成されたり、或いは、硬化剤を塗布されたりすることによって、中間延在部１２の状態にかかわらず（捲れ上がりの有無にかかわらず）、自身の形状が維持されるように構成される。【００２０】
なお、グロメット１０は、好適には、中間延在部１２が捲れ上がった状態で供給されるものとする。作業者が中間延在部１２を手作業で捲り上げる必要なく、コネクタの接続作業に入ることができるようにするためである。【００２１】
パネル結合部１３は、ダッシュパネル３０のパネル開口３１の周縁に液密に結合される部分であり、例えば、パネル開口３１の周縁の形状（例えば、矩形形状である。）に適合する開口を有し、また、ボルト等の締結部材による締結が可能となるようにその周縁がプレート部１４によって補強される。【００２２】
また、パネル結合部１３は、中間延在部１２との接合部分１３ａ、１３ｂの厚みを、中間延在部１２の厚みよりも厚くすることによって、中間延在部１２よりも高い剛性を確保できるようにし、図１で示されるように中間延在部１２が捲れ上がった状態にある場合には、その接合部分１３ａ、１３ｂの直ぐ近くで、延在部形状保持部１２ａによってワイヤハーネス２０の延在方向とは逆の方向に捲り上げられた中間延在部１２をワイヤハーネス２０の延在方向に再び反転させる湾曲部１２ｂが形成されるようにする。【００２３】
その結果、パネル結合部１３は、図１で示されるように中間延在部１２が捲れ上がった状態にある場合には、ワイヤハーネス２０のコネクタ２１をジャンクションボックス４０における対応するコネクタに接続した状態でダッシュパネル３０から一定の距離Ｄ（例えば、１５０ミリメートル）以上離れたところに位置するように保持され、ワイヤハーネス２０のコネクタ２１をジャンクションボックス４０における対応するコネクタに接続する際の作業スペース（作業者が手を挿入可能な空間であり、「ハンドスペース」とも称される。）を確保できるようにする。【００２４】
プレート部１４は、パネル結合部１３の周縁を補強するための部材であり、例えば、鉄等の金属で形成され、ボルト等の締結部材によりパネル結合部１３とともにダッシュパネル３０に締め付けられる。【００２５】
なお、本実施例において、パネル結合部１３（プレート部１４）は、図２で示されるようにパネル開口３１の周縁の形状（矩形形状）に適合する矩形形状を有するが、パネル開口３１を液密に密閉できるものであれば、必ずしもパネル開口３１の形状に適合している必要はなく、円形、楕円形、又は多角形等の他の形状の開口を有するものであってもよい。【００２６】
また、本実施例において、ワイヤハーネス２０は、その先端に三つのコネクタ２１ａ、２１ｂ、２１ｃを備え、単一のパネル開口３１を通ってジャンクションボックス４０における対応するコネクタに接続されるが、その先端に一つ又は二つのコネクタを備えるものであってもよく、四つ以上のコネクタを備えるものであってもよい。【００２７】
図３は、図１と同様に、本発明の実施例に係るグロメット１０の構成例を示す部分断面図であり、そのグロメット１０をダッシュパネル３０に結合した後の状態を示す。また、図４は、図３のＩＶ−ＩＶ線で定められる平面を矢印ＡＲ２の方向から見た図である。【００２８】
作業者は、手作業によりワイヤハーネス２０のコネクタ２１をジャンクションボックス４０における対応するコネクタに接続した後、図１で示されるような捲れ上がった状態にある中間延在部１２をダッシュパネル３０の方向に引き下ろし、図３で示されるように、パネル結合部１３をダッシュパネル３０のパネル開口３１の周縁にあるエンジンルームＥＲ側の表面３０ａ（図１参照。）に密接させ、パネル結合部１３及びプレート部１４を貫通するボルト孔１５ａ〜１５ｄ（図２参照。）のそれぞれに挿入されるボルト３２ａ〜３２ｄ（図４参照。）によってパネル結合部１３をプレート部１４とともにダッシュパネル３０に締め付ける。【００２９】
延在部形状保持部１２ａは、図１及び図３で示されるように、中間延在部１２がダッシュパネル３０の方向とは逆の方向に捲り上げられた場合、及び、中間延在部１２がダッシュパネル３０の方向に引き下ろされた場合の何れの場合であってもその形状（ワイヤハーネス２０の延在方向とは逆の方向に反り返った状態）を維持する。【００３０】
そのため、中間延在部１２は、図３で示されるようにダッシュパネル３０の方向に引き下ろされた場合には、ワイヤハーネス２０の延在方向とは逆の方向に反り返った状態にある延在部形状保持部１２ａを過ぎたところで直ぐにワイヤハーネス２０の延在方向に方向を反転させて湾曲部１２ｂを形成しながら、ダッシュパネル３０に向かって延びることとなる。【００３１】
また、作業者は、中間延在部１２の状態にかかわらず自身の形状を維持するという延在部形状保持部１２ａの特性を利用し、図３で示されるようにダッシュパネル３０の方向に延びた中間延在部１２を手作業により再び捲り上げ、図１で示されるような捲れ上がった状態に戻すことも可能である。【００３２】
以上の構成により、グロメット１０は、作業者がワイヤハーネス２０のコネクタ２１をジャンクションボックス４０における対応するコネクタに接続する際に、ワイヤハーネス２０の延在方向とは逆の方向に中間延在部１２を捲り上げた状態で保持するので、その作業者による特別な手作業なしにその接続のための作業スペースを確保できるようにし、作業性を更に向上させることができる。【００３３】
また、グロメット１０は、中間延在部１２を捲り上げた状態とその中間延在部１２を引き下ろした状態とを繰り返し行き来させることができるので、作業者は、その中間延在部１２を引き下ろした後に再びワイヤハーネス２０のコネクタ２１の接続作業をやり直すような場合であっても、その中間延在部１２を捲り上げて作業スペースを確保することができる。【００３４】
また、中間延在部１２は、延在部形状保持部１２ａと湾曲部１２ｂとの二箇所で延在方向を反転させ最終的にパネル結合部１３をダッシュパネル３０に向けた状態で保持されるが、湾曲部１２ｂを形成することなく、パネル結合部１３を捲り上げそのパネル結合部１３をダッシュパネル３０の方向とは逆の方向に向けた状態（パネル結合部１３がダッシュパネル３０に結合される場合に比べ、中間延在部１２及びパネル結合部１３が完全に裏返った状態）で保持されるようにしてもよい。
【実施例２】
【００３５】
次に、図５〜図８を参照しながら、本発明の別の実施例に係るグロメット１０Ａについて説明する。なお、図１〜図４で示されるグロメット１０と共通する構成要素は、同じ参照符号を用いて参照されるものとする。【００３６】
図５は、本発明の別の実施例に係るグロメット１０Ａの構成例を示す部分断面図（グロメット１０Ａの全体とワイヤハーネス２０の一部とが断面（斜線部分）で表されている。）であり、そのグロメット１０Ａをダッシュパネル３０に結合する前の状態を示す。なお、グロメット１０Ａが装着されたワイヤハーネス２０の先端にあるコネクタ２１（２１ａ、２１ｂ、２１ｃ）は、車両前部にあるエンジンルームＥＲ側からダッシュパネル３０のパネル開口３１を通って、車室ＶＩ（エアコンユニット等が設置される空間）内に設置されたインストルメントパネルのジャンクションボックス４０における対応するコネクタに接続されているものとする。また、図６は、図５のＶＩ−ＶＩ線で定められる平面を矢印ＡＲ３の方向から見た図である。【００３７】
グロメット１０Ａは、蛇腹構造部１２ｃを備えた中間延在部１２Ａ、及び、その蛇腹構造部１２ｃを折り畳んだ状態に保持するための延在部形状保持部１２ａＡを有する点で、図１〜図４のグロメット１０と相違するが、その他の点でグロメット１０と共通する。そのため、共通点に関する説明を省略しながら、相違点を詳細に説明することとする。【００３８】
中間延在部１２Ａは、ワイヤハーネス結合部１１とパネル結合部１３との間に延在する形状可変の柔軟な部分（グロメット１０Ａの一部）であり、ワイヤハーネス２０のコネクタ２１をジャンクションボックス４０に接続したときにダッシュパネル３０から一定の距離Ｄ（例えば、１５０ミリメートル）以上離れたところにパネル結合部１３を保持する折り畳み状態から、パネル結合部１３をダッシュパネル３０に密接させる伸長状態にその形状を変化させる蛇腹構造部１２ｃを備える。【００３９】
延在部形状保持部１２ａＡは、中間延在部１２Ａの構成要素であり、グロメット１０Ａの他の部分（ワイヤハーネス結合部１１及びパネル結合部１３）と同じ材料（例えば、ＥＰＤＭゴムである。）で形成され、蛇腹構造部折り畳み用舌部１２ａＡ１、１２ａＡ２と、舌部保持テープ１２ａＡ３とを含む。【００４０】
蛇腹構造部折り畳み用舌部１２ａＡ１、１２ａＡ２は、蛇腹構造部１２ｃとパネル結合部１３との接合部分からワイヤハーネス２０の延在方向とは逆の方向に延びる部材であり、蛇腹構造部１２ｃを折り畳んだ状態のままそれぞれの自由端をワイヤハーネス結合部１１の外表面に接触保持させることによりその蛇腹構造部１２ｃの折り畳んだ状態を保持することができる。【００４１】
舌部保持テープ１２ａＡ３は、蛇腹構造部折り畳み用舌部１２ａＡ１、１２ａＡ２のそれぞれの自由端をワイヤハーネス結合部１１の外表面に接触保持するための留め部材であり、例えば、ワイヤハーネス２０（ワイヤハーネス結合部１１）の外周に伸縮可能に配置される環状弾性部材である。なお、舌部保持テープ１２ａＡ３は、グロメット１０Ａの他の部分とは異なる材料で形成されていてもよい。【００４２】
なお、グロメット１０Ａは、好適には、中間延在部１２Ａの蛇腹構造部１２ｃが折り畳まれた状態で供給されるものとする。【００４３】
なお、本実施例において、延在部形状保持部１２ａＡは、図６で示されるように、ワイヤハーネス２０の中心軸を挟んで両側（上下）に配置される二つの蛇腹構造部折り畳み用舌部１２ａＡ１、１２ａＡ２を含むものとして構成されるが、一つ又は三つ以上の蛇腹構造部折り畳み用舌部を含むものであってもよい。【００４４】
また、本実施例において、蛇腹構造部折り畳み用舌部１２ａＡ１、１２ａＡ２は、舌部保持テープ１２ａＡ３によってワイヤハーネス２０（ワイヤハーネス結合部１１）の外周に接触保持されるが、変性シリコーン樹脂系接着剤等の接着剤によってワイヤハーネス２０（ワイヤハーネス結合部１１）の外周に引き剥がし可能に接着保持されるようにしてもよい。【００４５】
図７は、図５と同様に、グロメット１０Ａの構成例を示す部分断面図であり、そのグロメット１０Ａをダッシュパネル３０に結合した後の状態を示す。また、図８は、図７のＶＩＩＩ−ＶＩＩＩ線で定められる平面を矢印ＡＲ４の方向から見た図である。【００４６】
作業者は、手作業によりワイヤハーネス２０のコネクタ２１をジャンクションボックス４０における対応するコネクタに接続した後、舌部保持テープ１２ａＡ３を切断し、或いは、ワイヤハーネス２０の延在方向とは逆の方向にずらすことによって蛇腹構造部折り畳み用舌部１２ａＡ１、１２ａＡ２のそれぞれの自由端を解放する。【００４７】
その後、作業者は、図５で示されるような折り畳まれた状態にある中間延在部１２Ａの蛇腹構造部１２ｃをダッシュパネル３０の方向に裾広がりとなるように引き伸ばし、図７で示されるように、パネル結合部１３をダッシュパネル３０のパネル開口３１の周縁にあるエンジンルームＥＲ側の表面３０ａ（図５参照。）に密接させ、パネル結合部１３及びプレート部１４を貫通するボルト孔１５ａ〜１５ｄ（図６参照。）のそれぞれに挿入されるボルト３２ａ〜３２ｄ（図８参照。）によってパネル結合部１３をプレート部１４とともにダッシュパネル３０に締め付ける。【００４８】
また、作業者は、図７で示されるようにダッシュパネル３０の方向に伸びた蛇腹構造部１２ｃを手作業により再び折り畳み、ワイヤハーネス２０の延在方向とは逆の方向にずらされた舌部保持テープ１２ａＡ３で蛇腹構造部折り畳み用舌部１２ａＡ１、１２ａＡ２のそれぞれの自由端をワイヤハーネス結合部１１の外表面に再び接触保持し直すことによって、蛇腹構造部１２ｃを図５で示されるような折り畳まれた状態に戻すことも可能である。【００４９】
以上の構成により、グロメット１０Ａは、作業者がワイヤハーネス２０のコネクタ２１をジャンクションボックス４０における対応するコネクタに接続する際に、中間延在部１２Ａの蛇腹構造部１２ｃを折り畳んだ状態で保持するので、その作業者による特別な手作業なしにその接続のための作業スペースを確保できるようにし、作業性を更に向上させることができる。【００５０】
また、グロメット１０Ａは、舌部保持テープ１２ａＡ３の位置をずらすことによって蛇腹構造部折り畳み用舌部１２ａＡ１、１２ａＡ２をワイヤハーネス結合部１１の外表面から解放する場合には、蛇腹構造部１２ｃを折り畳んだ状態とその蛇腹構造部１２ｃを引き延ばした状態とを繰り返し行き来させることができるので、作業者は、その蛇腹構造部１２ｃを引き伸ばした後に再びワイヤハーネス２０のコネクタ２１の接続作業をやり直すような場合であっても、その蛇腹構造部１２ｃを折り畳んで作業スペースを確保することができる。【００５１】
また、グロメット１０Ａは、折り畳まれた状態にある蛇腹構造部１２ｃをダッシュパネル３０に向かって裾広がりとなるように引き伸ばすことができるので、パネル結合部１３の開口サイズを柔軟に設定することができ、複数のコネクタが貫通する比較的大きなサイズのパネル開口３１を含む様々なサイズのパネル開口３１に対応可能となる。【００５２】
なお、蛇腹構造部１２ｃは、裾広がりとならずに、ワイヤハーネス２０に沿って円筒状に引き伸ばされるよう構成されてもよい。その場合、ワイヤハーネス結合部１１と中間延在部１２Ａ（蛇腹構造部１２ｃ）との間の接合部分にパネル結合部１３の開口サイズにほぼ等しい平板部を配置するようにしてもよい。【００５３】
また、蛇腹構造部１２ｃは、図５で示されるように、ワイヤハーネス２０の外表面に対し垂直方向にその折り畳み部分が重ねられるように保持されているが、ワイヤハーネス２０に平行な方向にその折り畳み部分が重ねられるように保持されるようにしてもよい。【００５４】
また、蛇腹構造部１２ｃは、ワイヤハーネス２０の外表面に垂直な方向を超えて、ワイヤハーネス２０の延在方向とは逆の方向にその折り畳み部分が重ねられるように保持されてもよい。【００５５】
以上、本発明の好ましい実施例について詳説したが、本発明は、上述した実施例に制限されることはなく、本発明の範囲を逸脱することなく、上述した実施例に種々の変形及び置換を加えることができる。【００５６】
例えば、上述の実施例において、グロメット１０Ａは、蛇腹構造部折り畳み用舌部１２ａＡ１、１２ａＡ２及び舌部保持テープ１２ａＡ３を用いて蛇腹構造部１２ｃを折り畳んだ状態で保持するが、蛇腹構造部折り畳み用舌部１２ａＡ１、１２ａＡ２及び舌部保持テープ１２ａＡ３を省略しながら、蛇腹構造を持たない柔軟な中間延在部１２Ａをワイヤハーネス２０の延在方向とは逆の方向に捲り上げた状態でその一部（例えば、中間延在部１２Ａとパネル結合部１３との接合部分である。）を接着剤によりワイヤハーネス結合部１１の外表面に引き剥がし可能に接着させ中間延在部１２Ａを捲り上げた状態で保持するようにしてもよい。【００５７】
また、上述の実施例において、グロメット１０Ａは、蛇腹構造部折り畳み用舌部１２ａＡ１、１２ａＡ２及び舌部保持テープ１２ａＡ３を省略した上で、中間延在部１２Ａの厚みや柔軟性を部分的に変化させる構成とすることによって、蛇腹構造部１２ｃを折り畳んだ状態のまま保持可能な一定の形状保持力を生じさせるようにし、作業者が力を加えることによってパネル結合部１３をダッシュパネル３０に密接させることができるようにしながら、作業者が手を離したときに蛇腹構造部１２ｃが折り畳んだ状態に戻りパネル結合部１３が自然にダッシュパネル３０から所定の位置まで遠ざかるようにしてもよい。この場合、中間延在部１２Ａは、必ずしも蛇腹構造部１２ｃを採用する必要はなく、滑らかに延在する構造を採用するようにしてもよい。【００５８】
また、上述の実施例において、グロメット１０、１０Ａは、円形断面のワイヤハーネス２０に装着されているが、楕円や矩形等の他の断面形状を有するワイヤハーネスに装着されてもよい。
【符号の説明】
【００５９】
１０、１０Ａ  グロメット
１１    ワイヤハーネス結合部
１２、１２Ａ  中間延在部
１２ａ、１２ａＡ  延在部形状保持部
１２ａＡ１、１２ａＡ２  蛇腹構造部折り畳み用舌部
１２ａＡ３  舌部保持テープ
１２ｂ  湾曲部
１２ｃ  蛇腹構造部
１３    パネル結合部
１４    プレート部
１５ａ〜１５ｄ  ボルト孔
２０    ワイヤハーネス
２１、２１ａ〜２１ｃ  コネクタ
３０    ダッシュパネル
３０ａ  ダッシュパネル表面
３１    パネル開口
３２ａ〜３２ｄ  ボルト
ＥＲ    エンジンルーム
ＶＩ    車室
【図１】
2012095986.tif 000003
【図２】
2012095986.tif 000004
【図３】
2012095986.tif 000005
【図４】
2012095986.tif 000006
【図５】
2012095986.tif 000007
【図６】
2012095986.tif 000008
【図７】
2012095986.tif 000009
【図８】
2012095986.tif 000010
【手続補正書】
【提出日】平成23年9月30日(2011.9.30)
【手続補正１】
【補正対象書類名】特許請求の範囲
【補正対象項目名】全文
【補正方法】変更
【補正の内容】
【特許請求の範囲】
【請求項１】
ワイヤハーネスに液密に結合されるワイヤハーネス結合部と、
パネル開口に液密に結合可能なパネル結合部と、
前記ワイヤハーネス結合部と前記パネル結合部との間に形状可変に延在する延在部と、
前記パネル結合部を前記パネル開口に液密に結合する場合における前記ワイヤハーネス結合部と前記パネル結合部との間の前記ワイヤハーネスの長さ方向における距離に比べて該距離がより短い状態の前記延在部の形状を保持する延在部形状保持部と、を備え、
前記パネル結合部は、前記延在部の形状が伸長状態の場合に限り、前記パネル開口に液密に結合可能となる、
ことを特徴とするグロメット。
【請求項２】
前記延在部形状保持部は、前記延在部が捲れ上がった状態の前記延在部の形状を保持する形状保持構造を有する、
ことを特徴とする請求項１に記載のグロメット。
【請求項３】
前記形状保持構造は、前記延在部が前記ワイヤハーネス結合部の方向に捲れ上がった状態と前記延在部が前記パネル結合部の方向に延びた状態とを切り替え可能にする、
ことを特徴とする請求項２に記載のグロメット。
【請求項４】
前記延在部は、蛇腹構造を有し、
前記延在部形状保持部は、前記延在部の蛇腹構造を折り畳んだ状態の前記延在部の形状を保持する、
ことを特徴とする請求項１に記載のグロメット。
【請求項５】
ワイヤハーネスに液密に結合されるワイヤハーネス結合部と、パネル開口に液密に結合可能なパネル結合部と、該ワイヤハーネス結合部と該パネル結合部との間に形状可変に延在する延在部と、該延在部の形状を保持する延在部形状保持部と、を備えたグロメットの該パネル開口への取り付け方法であって、
前記延在部形状保持部により、前記パネル結合部を前記パネル開口に液密に結合した後の前記ワイヤハーネス結合部と前記パネル結合部との間の前記ワイヤハーネスの長さ方向における距離に比べて該距離がより短い状態の前記延在部の形状を保持したまま、前記ワイヤハーネスの先端にあるコネクタと前記パネル開口内に配置された対応するコネクタとを接続するステップと、
前記延在部の形状を変えて前記距離をより長くし、前記パネル結合部を前記パネル開口に取り付けるステップと、を備え、
前記パネル結合部は、前記延在部の形状が伸長状態の場合に限り、前記パネル開口に液密に結合可能となる、
ことを特徴とするグロメット取り付け方法。
【国際調査報告】
2012095986.tif 000011
2012095986.tif 000012
2012095986.tif 000013
2012095986.tif 000014